(57)【要約】【課題】本発明は使用便利の弁当箱を開示した。【解決手段】箱を含み、前記箱の中には保温体がスライドできるように取り付けられ、前記保温体の中には小料理チャンバと、中料理チャンバと、大料理チャンバとが設けられ、前記保温体を取り出して洗浄することができ、前記箱の後側には保温蓋がヒンジによって設けられ、前記保温蓋が保温作用を果たし、前記箱の前側には固定ブロックが固定的に設けられ、前記固定ブロックの中にはロック機構が設けられ、前記ロック機構が前記箱蓋と前記箱とをロックし、前記箱の底部には固定機構が設けられ、前記固定機構は前記箱を卓上に固定することができて前記箱がひっくり返ることを防止できる。【選択図】図１
2020175124.tif 000002
【特許請求の範囲】
【請求項１】
箱を含み、前記箱の中には保温体がスライドできるように取り付けられ、前記保温体の中には仕切り板が固定的に設けられ、前記仕切り板が前記保温体を小料理チャンバと、中料理チャンバと、大料理チャンバとの三つのチャンバに仕切り、前記保温体を取り出して洗浄することができ、前記箱の後側にはヒンジ溝が設けられ、前記ヒンジ溝の中には保温蓋がヒンジによって設けられ、前記保温蓋を前記保温体に覆うことができて保温作用を果たし、前記箱の左右両側端壁には箱蓋がヒンジによって設けられ、前記箱蓋が前記箱の頂部に覆われて箱を密封し、前記箱の前側には固定ブロックが固定的に設けられ、前記固定ブロックの中にはロック機構が設けられ、前記ロック機構は前記箱蓋と前記箱とをロックし、前記箱の底部には四つの同じ設置の伝動チャンバが設けられ、前記伝動チャンバの中には固定機構が設けられ、前記固定機構は前記箱を卓上に固定することができて前記箱がひっくり返ることを防止できることを特徴とする使用便利の弁当箱。
【請求項２】
前記箱蓋の中には箱蓋溝が設けられ、前記箱蓋溝の底壁には食器溝が設けられ、前記食器溝の中には位置制限ベルトが固定的に設けられ、前記食器溝の中には引っ掛かりブロックが固定的に設けられ、前記引っ掛かりブロックの中には食器が保存され、前記箱の前側端面には取っ手溝が設けられ、前記取っ手溝の中には取っ手が回転できるように取り付けられ、前記取っ手が左右に対称的に設けられ、前記箱蓋の頂部端面には吊り輪がヒンジによって設けられ、前記吊り輪を引き動かすことにより、箱蓋を開けることができ、使用者が食堂でご飯を弁当箱に入れろうとする時、前記取っ手を使って箱を持ち、ご飯入りに便利であることを特徴とする請求項１に記載の使用便利の弁当箱。
【請求項３】
前記ロック機構は前記固定ブロックの左側端面に設けられたラック溝を含み、前記固定ブロックの中にはトーションバネ溝も設けられ、前記トーションバネ溝が前記ラック溝の底部に位置しており、前記ラック溝の中にはラックがスライドできるように設けられ、前記ラックの頂端には復帰機構が固定的に設けられ、前記固定ブロックの中には位置制限軸が回転できるように設けられ、前記位置制限軸の外周には歯車が固定的に設けられ、前記歯車と前記ラックとが噛合できるように設置され、前記位置制限軸の底部と前記トーションバネ溝の底壁とが回転できるように連結され、前記トーションバネ溝の中の底壁にはトーションバネが固定的に設けられ、前記トーションバネが前記位置制限軸の外周にカバーされ、且つ前記位置制限軸と固定的に連結され、前記位置制限軸の頂部には左右に対称に設置された引っ掛かり溝が設けられ、前記箱蓋の中には左右に対称に設置されたスライド溝が設けられ、前記スライド溝の中にはスライド板がスライドできるように取り付けられ、前記スライド板の頂端には押圧機構が固定的に設けられ、前記ラックを手動で押し、歯車を回転させ、これにより位置制限軸を回転させ、これによりスライド板を引っ掛かり溝から離れさせ、箱蓋を開けることができることを特徴とする請求項１に記載の使用便利の弁当箱。
【請求項４】
前記固定機構は前記伝動チャンバの間にスライドできるように設けられた回転軸を含み、同じの前記回転軸が前後左右に四組設けられ、左側の前記伝動チャンバを例として詳しく説明し、前記伝動チャンバの後壁には後側歯車が回転できるように設けられ、前記回転軸の左側末端には従動歯車が固定的に設けられ、前記従動歯車と前記後側歯車とが噛合できるように設置され、前記伝動チャンバの底壁にはねじロッドが回転できるように設けられ、前記ねじロッドの下半分にはねじ山が設けられ、前記ねじロッドの頂端には横向き歯車が固定的に設けられ、前記箱の左側端面には回転ブロックが回転できるように設けられ、前記回転ブロックの右端には動力歯車が固定的に設けられ、前記動力歯車と前記横向き歯車とが噛合できるように設置され、前記箱の底端には錐体チャンバが設けられ、前記錐体チャンバの中にはねじ山ブロックがスライドできるように設けられ、前記ねじ山ブロックと前記ねじロッドとがねじ山によって連結され、前記ねじ山ブロックの底端には吸盤が固定的に設けられ、他の三つの組の前記伝動チャンバの中の機構は前記動力歯車と前記回転ブロックとを除いていずれも同じく設置され、回転ブロックを回し、動力歯車に横向き歯車を回転連動させ、ねじロッドがねじ山ブロックを下に移動連動させ、吸盤を卓上にしっかりと吸着させることを特徴とする請求項１に記載の使用便利の弁当箱。
【発明の詳細な説明】
【技術分野】
【０００１】
本発明は弁当箱技術分野を取り上げて、具体的には使用便利の弁当箱である。
【背景技術】
【０００２】
弁当箱は広く使われており、出勤や外出の時、多くの人が外で食事し、多くの企業が食堂を設置しないため、社員は一般的に弁当を持って仕事へ行ってランチなどを食べ、今の多くの弁当箱は比較的に簡単で機能が単一であり、またご飯を食べる時に弁当箱をひっくり返しやすく、食事に不便をもたらし、従って、保温可能で固定に便利である弁当箱を設計し、上記の問題を解決する。
【先行技術文献】
【特許文献】
【０００３】
【特許文献１】中国特許出願公開第１０５６３９９６０号明細書
【発明の概要】
【発明が解決しようとする課題】
【０００４】
本発明の目的は使用便利の弁当箱を提供し、それは上記の現在の技術中の問題を解決できる。
【課題を解決するための手段】
【０００５】
本発明の使用便利の弁当箱は、箱を含み、前記箱の中には保温体がスライドできるように取り付けられ、前記保温体の中には仕切り板が固定的に設けられ、前記仕切り板が前記保温体を小料理チャンバと、中料理チャンバと、大料理チャンバとの三つのチャンバに仕切り、前記保温体を取り出して洗浄することができ、前記箱の後側にはヒンジ溝が設けられ、前記ヒンジ溝の中には保温蓋がヒンジによって設けられ、前記保温蓋を前記保温体に覆うことができて保温作用を果たし、前記箱の左右両側端壁には箱蓋がヒンジによって設けられ、前記箱蓋が前記箱の頂部に覆われて箱を密封し、前記箱の前側には固定ブロックが固定的に設けられ、前記固定ブロックの中にはロック機構が設けられ、前記ロック機構は前記箱蓋と前記箱とをロックし、前記箱の底部には四つの同じ設置の伝動チャンバが設けられ、前記伝動チャンバの中には固定機構が設けられ、前記固定機構は前記箱を卓上に固定することができて前記箱がひっくり返ることを防止できる。
【０００６】
更の技術プラン、前記箱蓋の中には箱蓋溝が設けられ、前記箱蓋溝の底壁には食器溝が設けられ、前記食器溝の中には位置制限ベルトが固定的に設けられ、前記食器溝の中には引っ掛かりブロックが固定的に設けられ、前記引っ掛かりブロックの中には食器が保存され、前記箱の前側端面には取っ手溝が設けられ、前記取っ手溝の中には取っ手が回転できるように取り付けられ、前記取っ手が左右に対称的に設けられ、前記箱蓋の頂部端面には吊り輪がヒンジによって設けられ、前記吊り輪を引き動かすことにより、箱蓋を開けることができ、使用者が食堂でご飯を弁当箱に入れろうとする時、前記取っ手を使って箱を持ち，ご飯入りに便利である。
【０００７】
更の技術プラン、前記ロック機構は前記固定ブロックの左側端面に設けられたラック溝を含み、前記固定ブロックの中にはトーションバネ溝も設けられ、前記トーションバネ溝が前記ラック溝の底部に位置しており、前記ラック溝の中にはラックがスライドできるように設けられ、前記ラックの頂端には復帰機構が固定的に設けられ、前記固定ブロックの中には位置制限軸が回転できるように設けられ、前記位置制限軸の外周には歯車が固定的に設けられ、前記歯車と前記ラックとが噛合できるように設置され、前記位置制限軸の底部と前記トーションバネ溝の底壁とが回転できるように連結され、前記トーションバネ溝の中の底壁にはトーションバネが固定的に設けられ、前記トーションバネが前記位置制限軸の外周にカバーされ、且つ前記位置制限軸と固定的に連結され、前記位置制限軸の頂部には左右に対称に設置された引っ掛かり溝が設けられ、前記箱蓋の中には左右に対称に設置されたスライド溝が設けられ、前記スライド溝の中にはスライド板がスライドできるように取り付けられ、前記スライド板の頂端には押圧機構が固定的に設けられ、前記ラックを手動で押し、歯車を回転させ、これにより位置制限軸を回転させ、これによりスライド板を引っ掛かり溝から離れさせ、箱蓋を開けることができる。
【０００８】
更の技術プラン、前記固定機構は前記伝動チャンバの間にスライドできるように設けられた回転軸を含み、同じの前記回転軸が前後左右に四組設けられ、左側の前記伝動チャンバを例として詳しく説明し、前記伝動チャンバの後壁には後側歯車が回転できるように設けられ、前記回転軸の左側末端には従動歯車が固定的に設けられ、前記従動歯車と前記後側歯車とが噛合できるように設置され、前記伝動チャンバの底壁にはねじロッドが回転できるように設けられ、前記ねじロッドの下半分にはねじ山が設けられ、前記ねじロッドの頂端には横向き歯車が固定的に設けられ、前記箱の左側端面には回転ブロックが回転できるように設けられ、前記回転ブロックの右端には動力歯車が固定的に設けられ、前記動力歯車と前記横向き歯車とが噛合できるように設置され、前記箱の底端には錐体チャンバが設けられ、前記錐体チャンバの中にはねじ山ブロックがスライドできるように設けられ、前記ねじ山ブロックと前記ねじロッドとがねじ山によって連結され、前記ねじ山ブロックの底端には吸盤が固定的に設けられ、他の三つの組の前記伝動チャンバの中の機構は前記動力歯車と前記回転ブロックとを除いていずれも同じく設置され、回転ブロックを回し、動力歯車に横向き歯車を回転連動させ、ねじロッドがねじ山ブロックを下に移動連動させ、吸盤を卓上にしっかりと吸着させる。
【０００９】
初期状態に、吸盤が錐体チャンバの中に収納され、箱蓋が箱に覆われており、スライド板が引っ掛かり溝の中に挿入されており、箱蓋の位置を制限する。
【００１０】
使用する時、本弁当箱を卓上に置き、回転ブロックを回し、動力歯車を回転させ、同時に、動力歯車が横向き歯車を回転連動させ、横向き歯車が後側歯車と従動歯車とを回転連動させ、これにより四組のねじ山ブロックを下に移動し、吸盤を卓上にしっかりと吸着させ、ラックを押し、歯車を回転させ、これにより位置制限軸を回転させ、スライド板を引っ掛かり溝から離れさせ、これにより箱蓋を開けて本弁当箱の中のご飯を食べることができる。
【発明の効果】
【００１１】
本発明の保温蓋が保温体に覆われて保温の作用を果たし、ご飯を保温し、食器溝の中には食器を保存でき、食器の携帯に便利であり、取っ手の設計によって本弁当箱が手持ちに便利になり、吸盤が卓上にしっかりと吸着でき、弁当箱が固定に便利となってひっくり返ることを防止し、また本弁当箱は操作が便利であり、比較的に高い使用価値と普及価値を備える。
【図面の簡単な説明】
【００１２】
【図１】図１は本発明の使用便利の弁当箱が開いた時の上面図
【図２】図２は本発明の使用便利の弁当箱の保温蓋が箱蓋に覆われた時の上面図
【図３】図３は本発明の使用便利の弁当箱の正面断面図
【図４】図４は本発明の使用便利の弁当箱の底部断面図
【図５】図５は図３のＡの部分拡大構成略図
【図６】図６は図４のＢの部分拡大構成略図
【図７】図７は位置制限軸とスライド板とが係合する上面略図
【発明を実施するための形態】
【００１３】
以下、図１〜７を合わせて本発明について詳しく説明し、また、説明の便利を図るため、下記に記載の上下左右前後方向が図３自身の投影関係の上下左右前後方向と一致することにする。
【００１４】
図１〜７を参照し、本発明の使用便利の弁当箱は、箱１０を含み、前記箱１０の中には保温体１２がスライドできるように取り付けられ、前記保温体１２の中には仕切り板２０が固定的に設けられ、前記仕切り板２０が前記保温体１２を小料理チャンバ１１と、中料理チャンバ２１と、大料理チャンバ１９との三つのチャンバに仕切り、前記保温体１２を取り出して洗浄することができ、前記箱１０の後側にはヒンジ溝１３が設けられ、前記ヒンジ溝１３の中には保温蓋１６がヒンジによって設けられ、前記保温蓋１６を前記保温体１２に覆うことができて保温作用を果たし、前記箱１０の左右両側端壁には箱蓋１４がヒンジによって設けられ、前記箱蓋１４が前記箱１０の頂部に覆われて箱１０を密封し、前記箱１０の前側には固定ブロック２８が固定的に設けられ、前記固定ブロック２８の中にはロック機構７０が設けられ、前記ロック機構７０は前記箱蓋１４と前記箱１０とをロックし、前記箱１０の底部には四つの同じ設置の伝動チャンバ４４が設けられ、前記伝動チャンバ４４の中には固定機構７１が設けられ、前記固定機構７１は前記箱１０を卓上に固定することができて前記箱１０がひっくり返ることを防止できる。
【００１５】
有益的には、前記箱蓋１４の中には箱蓋溝１５が設けられ、前記箱蓋溝１５の底壁には食器溝２２が設けられ、前記食器溝２２の中には位置制限ベルト２４が固定的に設けられ、前記食器溝２２の中には引っ掛かりブロック２５が固定的に設けられ、前記引っ掛かりブロック２５の中には食器２３が保存され、前記箱１０の前側端面には取っ手溝３１が設けられ、前記取っ手溝３１の中には取っ手３０が回転できるように取り付けられ、前記取っ手３０が左右に対称的に設けられ、前記箱蓋１４の頂部端面には吊り輪２９がヒンジによって設けられ、前記吊り輪２９を引き動かすことにより、箱蓋１４を開けることができ、使用者が食堂でご飯を弁当箱に入れろうとする時、前記取っ手３０を使って箱１０を持ち，ご飯入りに便利である。
【００１６】
有益的には、前記ロック機構７０は前記固定ブロック２８の左側端面に設けられたラック溝３８を含み、前記固定ブロック２８の中にはトーションバネ溝７３も設けられ、前記トーションバネ溝７３が前記ラック溝３８の底部に位置しており、前記ラック溝３８の中にはラック４１がスライドできるように設けられ、前記ラック４１の頂端には復帰機構３７が固定的に設けられ、前記固定ブロック２８の中には位置制限軸３６が回転できるように設けられ、前記位置制限軸３６の外周には歯車４０が固定的に設けられ、前記歯車４０と前記ラック４１とが噛合できるように設置され、前記位置制限軸３６の底部と前記トーションバネ溝７３の底壁とが回転できるように連結され、前記トーションバネ溝７３の中の底壁にはトーションバネ３９が固定的に設けられ、前記トーションバネ３９が前記位置制限軸３６の外周にカバーされ、且つ前記位置制限軸３６と固定的に連結され、前記位置制限軸３６の頂部には左右に対称に設置された引っ掛かり溝３５が設けられ、前記箱蓋１４の中には左右に対称に設置されたスライド溝３３が設けられ、前記スライド溝３３の中にはスライド板３４がスライドできるように取り付けられ、前記スライド板３４の頂端には押圧機構３２が固定的に設けられ、前記ラック４１を手動で押し、歯車４０を回転させ、これにより位置制限軸３６を回転させ、これによりスライド板３４を引っ掛かり溝３５から離れさせ、箱蓋１４を開けることができる。
【００１７】
有益的には、前記固定機構７１は前記伝動チャンバ４４の間にスライドできるように設けられた回転軸４７を含み、同じの前記回転軸４７が前後左右に四組設けられ、左側の前記伝動チャンバ４４を例として詳しく説明し、前記伝動チャンバ４４の後壁には後側歯車４５が回転できるように設けられ、前記回転軸４７の左側末端には従動歯車４６が固定的に設けられ、前記従動歯車４６と前記後側歯車４５とが噛合できるように設置され、前記伝動チャンバ４４の底壁にはねじロッド４９が回転できるように設けられ、前記ねじロッド４９の下半分にはねじ山が設けられ、前記ねじロッド４９の頂端には横向き歯車４８が固定的に設けられ、前記箱１０の左側端面には回転ブロック４２が回転できるように設けられ、前記回転ブロック４２の右端には動力歯車４３が固定的に設けられ、前記動力歯車４３と前記横向き歯車４８とが噛合できるように設置され、前記箱１０の底端には錐体チャンバ５１が設けられ、前記錐体チャンバ５１の中にはねじ山ブロック５２がスライドできるように設けられ、前記ねじ山ブロック５２と前記ねじロッド４９とがねじ山によって連結され、前記ねじ山ブロック５２の底端には吸盤５０が固定的に設けられ、他の三つの組の前記伝動チャンバ４４の中の機構は前記動力歯車４３と前記回転ブロック４２とを除いていずれも同じく設置され、回転ブロック４２を回し、動力歯車４３に横向き歯車４８を回転連動させ、ねじロッド４９がねじ山ブロック５２を下に移動連動させ、吸盤５０を卓上にしっかりと吸着させる。
【００１８】
初期状態に、吸盤５０が錐体チャンバ５１の中に収納され、箱蓋１４が箱１０に覆われており、スライド板３４が引っ掛かり溝３５の中に挿入されており、箱蓋１４の位置を制限する。
【００１９】
使用する時、本弁当箱を卓上に置き、回転ブロック４２を回し、動力歯車４３を回転させ、同時に、動力歯車４３が横向き歯車４８を回転連動させ、横向き歯車４８が後側歯車４５と従動歯車４６とを回転連動させ、これにより四組のねじ山ブロック５２を下に移動し、吸盤５０を卓上にしっかりと吸着させ、ラック４１を押し、歯車４０を回転させ、これにより位置制限軸３６を回転させ、スライド板３４を引っ掛かり溝３５から離れさせ、これにより箱蓋１４を開けて本弁当箱の中のご飯を食べることができる。
【００２０】
本発明の有益効果は：本発明の保温蓋が保温体に覆われて保温の作用を果たし、ご飯を保温し、食器溝の中には食器を保存でき、食器の携帯に便利であり、取っ手の設計によって本弁当箱が手持ちに便利になり、吸盤が卓上にしっかりと吸着でき、弁当箱が固定に便利となってひっくり返ることを防止し、また本弁当箱は操作が便利であり、比較的に高い使用価値と普及価値を備える。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175124.tif 000003
【図２】
2020175124.tif 000004
【図３】
2020175124.tif 000005
【図４】
2020175124.tif 000006
【図５】
2020175124.tif 000007
【図６】
2020175124.tif 000008
【図７】
2020175124.tif 000009
【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
箱を含み、前記箱の中には保温体がスライドできるように取り付けられ、前記保温体の中には仕切り板が固定的に設けられ、前記仕切り板が前記保温体を小料理チャンバと、中料理チャンバと、大料理チャンバとの三つのチャンバに仕切り、前記保温体を取り出して洗浄することができ、前記箱の後側にはヒンジ溝が設けられ、前記ヒンジ溝の中には保温蓋がヒンジによって設けられ、前記保温蓋を前記保温体に覆うことができて保温作用を果たし、前記箱の左右両側端壁には箱蓋がヒンジによって設けられ、前記箱蓋が前記箱の頂部に覆われて箱を密封し、前記箱の前側には固定ブロックが固定的に設けられ、前記固定ブロックの中にはロック機構が設けられ、前記ロック機構は前記箱蓋と前記箱とをロックし、前記箱の底部には四つの同じ設置の伝動チャンバが設けられ、前記伝動チャンバの中には固定機構が設けられ、前記固定機構は前記箱を卓上に固定することができて前記箱がひっくり返ることを防止できることを特徴とする使用便利の弁当箱。
【請求項２】
前記箱蓋の中には箱蓋溝が設けられ、前記箱蓋溝の底壁には食器溝が設けられ、前記食器溝の中には位置制限ベルトが固定的に設けられ、前記食器溝の中には引っ掛かりブロックが固定的に設けられ、前記引っ掛かりブロックの中には食器が保存され、前記箱の前側端面には取っ手溝が設けられ、前記取っ手溝の中には取っ手が回転できるように取り付けられ、前記取っ手が左右に対称的に設けられ、前記箱蓋の頂部端面には吊り輪がヒンジによって設けられ、前記吊り輪を引き動かすことにより、箱蓋を開けることができ、使用者が食堂でご飯を弁当箱に入れようとする時、前記取っ手を使って箱を持ち、ご飯を入れるのに便利であることを特徴とする請求項１に記載の使用便利の弁当箱。
【請求項３】
前記ロック機構は前記固定ブロックの前側端面に設けられたラック溝を含み、前記固定ブロックの中にはトーションバネ溝も設けられ、前記トーションバネ溝が前記ラック溝の底部に位置しており、前記ラック溝の中にはラックがスライドできるように設けられ、前記ラックの頂端には復帰機構が固定的に設けられ、前記固定ブロックの中には位置制限軸が回転できるように設けられ、前記位置制限軸の外周には歯車が固定的に設けられ、前記歯車と前記ラックとが噛合できるように設置され、前記位置制限軸の底部と前記トーションバネ溝の底壁とが回転できるように連結され、前記トーションバネ溝の中の底壁にはトーションバネが固定的に設けられ、前記トーションバネが前記位置制限軸の外周にカバーされ、且つ前記位置制限軸と固定的に連結され、前記位置制限軸の頂部には左右に対称に設置された引っ掛かり溝が設けられ、前記箱蓋の中には左右に対称に設置されたスライド溝が設けられ、前記スライド溝の中にはスライド板がスライドできるように取り付けられ、前記スライド板の頂端には押圧機構が固定的に設けられ、前記ラックを手動で押し、歯車を回転させ、これにより位置制限軸を回転させ、これによりスライド板を引っ掛かり溝から離れさせ、箱蓋を開けることができることを特徴とする請求項１に記載の使用便利の弁当箱。
【請求項４】
前記固定機構は前記伝動チャンバの間にスライドできるように設けられた回転軸を含み、同一構成の前記回転軸が前後左右に四組設けられ、左側の前記伝動チャンバを例として詳しく説明し、前記伝動チャンバの後壁には後側歯車が回転できるように設けられ、前記回転軸の左側末端には従動歯車が固定的に設けられ、前記従動歯車と前記後側歯車とが噛合できるように設置され、前記伝動チャンバの底壁にはねじロッドが回転できるように設けられ、前記ねじロッドの下半分にはねじ山が設けられ、前記ねじロッドの頂端には横向き歯車が固定的に設けられ、前記箱の左側端面には回転ブロックが回転できるように設けられ、前記回転ブロックの右端には動力歯車が固定的に設けられ、前記動力歯車と前記横向き歯車とが噛合できるように設置され、前記箱の底端には錐体チャンバが設けられ、前記錐体チャンバの中にはねじ山ブロックがスライドできるように設けられ、前記ねじ山ブロックと前記ねじロッドとがねじ山によって連結され、前記ねじ山ブロックの底端には吸盤が固定的に設けられ、他の三つの組の前記伝動チャンバの中の機構は前記動力歯車と前記回転ブロックとを除いていずれも同じく設置され、回転ブロックを回し、動力歯車に横向き歯車を回転連動させ、ねじロッドがねじ山ブロックを下に移動連動させ、吸盤を卓上にしっかりと吸着させることを特徴とする請求項１に記載の使用便利の弁当箱。
【手続補正２】
【補正対象書類名】明細書
【補正対象項目名】全文
【補正方法】変更
【補正の内容】
【発明の詳細な説明】
【技術分野】
【０００１】
本発明は弁当箱技術分野を取り上げて、具体的には使用便利の弁当箱である。
【背景技術】
【０００２】
弁当箱は広く使われており、出勤や外出の時、多くの人が外で食事し、多くの企業が食堂を設置しないため、社員は一般的に弁当を持って仕事へ行ってランチなどを食べ、今の多くの弁当箱は比較的に簡単で機能が単一であり、またご飯を食べる時に弁当箱をひっくり返しやすく、食事に不便をもたらし、従って、保温可能で固定に便利である弁当箱を設計し、上記の問題を解決する。
【先行技術文献】
【特許文献】
【０００３】
【特許文献１】中国特許出願公開第１０５６３９９６０号明細書
【発明の概要】
【発明が解決しようとする課題】
【０００４】
本発明の目的は使用便利の弁当箱を提供し、それは上記の現在の技術中の問題を解決できる。
【課題を解決するための手段】
【０００５】
本発明の使用便利の弁当箱は、箱を含み、前記箱の中には保温体がスライドできるように取り付けられ、前記保温体の中には仕切り板が固定的に設けられ、前記仕切り板が前記保温体を小料理チャンバと、中料理チャンバと、大料理チャンバとの三つのチャンバに仕切り、前記保温体を取り出して洗浄することができ、前記箱の後側にはヒンジ溝が設けられ、前記ヒンジ溝の中には保温蓋がヒンジによって設けられ、前記保温蓋を前記保温体に覆うことができて保温作用を果たし、前記箱の左右両側端壁には箱蓋がヒンジによって設けられ、前記箱蓋が前記箱の頂部に覆われて箱を密封し、前記箱の前側には固定ブロックが固定的に設けられ、前記固定ブロックの中にはロック機構が設けられ、前記ロック機構は前記箱蓋と前記箱とをロックし、前記箱の底部には四つの同じ設置の伝動チャンバが設けられ、前記伝動チャンバの中には固定機構が設けられ、前記固定機構は前記箱を卓上に固定することができて前記箱がひっくり返ることを防止できる。
【０００６】
更の技術プラン、前記箱蓋の中には箱蓋溝が設けられ、前記箱蓋溝の底壁には食器溝が設けられ、前記食器溝の中には位置制限ベルトが固定的に設けられ、前記食器溝の中には引っ掛かりブロックが固定的に設けられ、前記引っ掛かりブロックの中には食器が保存され、前記箱の前側端面には取っ手溝が設けられ、前記取っ手溝の中には取っ手が回転できるように取り付けられ、前記取っ手が左右に対称的に設けられ、前記箱蓋の頂部端面には吊り輪がヒンジによって設けられ、前記吊り輪を引き動かすことにより、箱蓋を開けることができ、使用者が食堂でご飯を弁当箱に入れようとする時、前記取っ手を使って箱を持ち、ご飯を入れるのに便利である。
【０００７】
更の技術プラン、前記ロック機構は前記固定ブロックの前側端面に設けられたラック溝を含み、前記固定ブロックの中にはトーションバネ溝も設けられ、前記トーションバネ溝が前記ラック溝の底部に位置しており、前記ラック溝の中にはラックがスライドできるように設けられ、前記ラックの頂端には復帰機構が固定的に設けられ、前記固定ブロックの中には位置制限軸が回転できるように設けられ、前記位置制限軸の外周には歯車が固定的に設けられ、前記歯車と前記ラックとが噛合できるように設置され、前記位置制限軸の底部と前記トーションバネ溝の底壁とが回転できるように連結され、前記トーションバネ溝の中の底壁にはトーションバネが固定的に設けられ、前記トーションバネが前記位置制限軸の外周にカバーされ、且つ前記位置制限軸と固定的に連結され、前記位置制限軸の頂部には左右に対称に設置された引っ掛かり溝が設けられ、前記箱蓋の中には左右に対称に設置されたスライド溝が設けられ、前記スライド溝の中にはスライド板がスライドできるように取り付けられ、前記スライド板の頂端には押圧機構が固定的に設けられ、前記ラックを手動で押し、歯車を回転させ、これにより位置制限軸を回転させ、これによりスライド板を引っ掛かり溝から離れさせ、箱蓋を開けることができる。
【０００８】
更の技術プラン、前記固定機構は前記伝動チャンバの間にスライドできるように設けられた回転軸を含み、同一構成の前記回転軸が前後左右に四組設けられ、左側の前記伝動チャンバを例として詳しく説明し、前記伝動チャンバの後壁には後側歯車が回転できるように設けられ、前記回転軸の左側末端には従動歯車が固定的に設けられ、前記従動歯車と前記後側歯車とが噛合できるように設置され、前記伝動チャンバの底壁にはねじロッドが回転できるように設けられ、前記ねじロッドの下半分にはねじ山が設けられ、前記ねじロッドの頂端には横向き歯車が固定的に設けられ、前記箱の左側端面には回転ブロックが回転できるように設けられ、前記回転ブロックの右端には動力歯車が固定的に設けられ、前記動力歯車と前記横向き歯車とが噛合できるように設置され、前記箱の底端には錐体チャンバが設けられ、前記錐体チャンバの中にはねじ山ブロックがスライドできるように設けられ、前記ねじ山ブロックと前記ねじロッドとがねじ山によって連結され、前記ねじ山ブロックの底端には吸盤が固定的に設けられ、他の三つの組の前記伝動チャンバの中の機構は前記動力歯車と前記回転ブロックとを除いていずれも同じく設置され、回転ブロックを回し、動力歯車に横向き歯車を回転連動させ、ねじロッドがねじ山ブロックを下に移動連動させ、吸盤を卓上にしっかりと吸着させる。
【０００９】
初期状態に、吸盤が錐体チャンバの中に収納され、箱蓋が箱に覆われており、スライド板が引っ掛かり溝の中に挿入されており、箱蓋の位置を制限する。
【００１０】
使用する時、本弁当箱を卓上に置き、回転ブロックを回し、動力歯車を回転させ、同時に、動力歯車が横向き歯車を回転連動させ、横向き歯車が後側歯車と従動歯車とを回転連動させ、これにより四組のねじ山ブロックを下に移動し、吸盤を卓上にしっかりと吸着させ、ラックを押し、歯車を回転させ、これにより位置制限軸を回転させ、スライド板を引っ掛かり溝から離れさせ、これにより箱蓋を開けて本弁当箱の中のご飯を食べることができる。
【発明の効果】
【００１１】
本発明の保温蓋が保温体に覆われて保温の作用を果たし、ご飯を保温し、食器溝の中には食器を保存でき、食器の携帯に便利であり、取っ手の設計によって本弁当箱が手持ちに便利になり、吸盤が卓上にしっかりと吸着でき、弁当箱が固定に便利となってひっくり返ることを防止し、また本弁当箱は操作が便利であり、比較的に高い使用価値と普及価値を備える。
【図面の簡単な説明】
【００１２】
【図１】図１は本発明の使用便利の弁当箱が開いた時の上面図
【図２】図２は本発明の使用便利の弁当箱の保温蓋が箱蓋に覆われた時の上面図
【図３】図３は本発明の使用便利の弁当箱の正面断面図
【図４】図４は本発明の使用便利の弁当箱の底部断面図
【図５】図５は図３のＡの部分拡大構成略図
【図６】図６は図４のＢの部分拡大構成略図
【図７】図７は位置制限軸とスライド板とが係合する上面略図
【発明を実施するための形態】
【００１３】
以下、図１〜７を合わせて本発明について詳しく説明し、また、説明の便利を図るため、下記に記載の上下左右前後方向が図３自身の投影関係の上下左右前後方向と一致することにする。
【００１４】
図１〜７を参照し、本発明の使用便利の弁当箱は、箱１０を含み、前記箱１０の中には保温体１２がスライドできるように取り付けられ、前記保温体１２の中には仕切り板２０が固定的に設けられ、前記仕切り板２０が前記保温体１２を小料理チャンバ１１と、中料理チャンバ２１と、大料理チャンバ１９との三つのチャンバに仕切り、前記保温体１２を取り出して洗浄することができ、前記箱１０の後側にはヒンジ溝１３が設けられ、前記ヒンジ溝１３の中には保温蓋１６がヒンジによって設けられ、前記保温蓋１６を前記保温体１２に覆うことができて保温作用を果たし、前記箱１０の左右両側端壁には箱蓋１４がヒンジによって設けられ、前記箱蓋１４が前記箱１０の頂部に覆われて箱１０を密封し、前記箱１０の前側には固定ブロック２８が固定的に設けられ、前記固定ブロック２８の中にはロック機構７０が設けられ、前記ロック機構７０は前記箱蓋１４と前記箱１０とをロックし、前記箱１０の底部には四つの同じ設置の伝動チャンバ４４が設けられ、前記伝動チャンバ４４の中には固定機構７１が設けられ、前記固定機構７１は前記箱１０を卓上に固定することができて前記箱１０がひっくり返ることを防止できる。
【００１５】
有益的には、前記箱蓋１４の中には箱蓋溝１５が設けられ、前記箱蓋溝１５の底壁には食器溝２２が設けられ、前記食器溝２２の中には位置制限ベルト２４が固定的に設けられ、前記食器溝２２の中には引っ掛かりブロック２５が固定的に設けられ、前記引っ掛かりブロック２５の中には食器２３が保存され、前記箱１０の前側端面には取っ手溝３１が設けられ、前記取っ手溝３１の中には取っ手３０が回転できるように取り付けられ、前記取っ手３０が左右に対称的に設けられ、前記箱蓋１４の頂部端面には吊り輪２９がヒンジによって設けられ、前記吊り輪２９を引き動かすことにより、箱蓋１４を開けることができ、使用者が食堂でご飯を弁当箱に入れようとする時、前記取っ手３０を使って箱１０を持ち、ご飯を入れるのに便利である。
【００１６】
有益的には、前記ロック機構７０は前記固定ブロック２８の前側端面に設けられたラック溝３８を含み、前記固定ブロック２８の中にはトーションバネ溝７３も設けられ、前記トーションバネ溝７３が前記ラック溝３８の底部に位置しており、前記ラック溝３８の中にはラック４１がスライドできるように設けられ、前記ラック４１の頂端には復帰機構３７が固定的に設けられ、前記固定ブロック２８の中には位置制限軸３６が回転できるように設けられ、前記位置制限軸３６の外周には歯車４０が固定的に設けられ、前記歯車４０と前記ラック４１とが噛合できるように設置され、前記位置制限軸３６の底部と前記トーションバネ溝７３の底壁とが回転できるように連結され、前記トーションバネ溝７３の中の底壁にはトーションバネ３９が固定的に設けられ、前記トーションバネ３９が前記位置制限軸３６の外周にカバーされ、且つ前記位置制限軸３６と固定的に連結され、前記位置制限軸３６の頂部には左右に対称に設置された引っ掛かり溝３５が設けられ、前記箱蓋１４の中には左右に対称に設置されたスライド溝３３が設けられ、前記スライド溝３３の中にはスライド板３４がスライドできるように取り付けられ、前記スライド板３４の頂端には押圧機構３２が固定的に設けられ、前記ラック４１を手動で押し、歯車４０を回転させ、これにより位置制限軸３６を回転させ、これによりスライド板３４を引っ掛かり溝３５から離れさせ、箱蓋１４を開けることができる。
【００１７】
有益的には、前記固定機構７１は前記伝動チャンバ４４の間にスライドできるように設けられた回転軸４７を含み、同一構成の前記回転軸４７が前後左右に四組設けられ、左側の前記伝動チャンバ４４を例として詳しく説明し、前記伝動チャンバ４４の後壁には後側歯車４５が回転できるように設けられ、前記回転軸４７の左側末端には従動歯車４６が固定的に設けられ、前記従動歯車４６と前記後側歯車４５とが噛合できるように設置され、前記伝動チャンバ４４の底壁にはねじロッド４９が回転できるように設けられ、前記ねじロッド４９の下半分にはねじ山が設けられ、前記ねじロッド４９の頂端には横向き歯車４８が固定的に設けられ、前記箱１０の左側端面には回転ブロック４２が回転できるように設けられ、前記回転ブロック４２の右端には動力歯車４３が固定的に設けられ、前記動力歯車４３と前記横向き歯車４８とが噛合できるように設置され、前記箱１０の底端には錐体チャンバ５１が設けられ、前記錐体チャンバ５１の中にはねじ山ブロック５２がスライドできるように設けられ、前記ねじ山ブロック５２と前記ねじロッド４９とがねじ山によって連結され、前記ねじ山ブロック５２の底端には吸盤５０が固定的に設けられ、他の三つの組の前記伝動チャンバ４４の中の機構は前記動力歯車４３と前記回転ブロック４２とを除いていずれも同じく設置され、回転ブロック４２を回し、動力歯車４３に横向き歯車４８を回転連動させ、ねじロッド４９がねじ山ブロック５２を下に移動連動させ、吸盤５０を卓上にしっかりと吸着させる。
【００１８】
初期状態に、吸盤５０が錐体チャンバ５１の中に収納され、箱蓋１４が箱１０に覆われており、スライド板３４が引っ掛かり溝３５の中に挿入されており、箱蓋１４の位置を制限する。
【００１９】
使用する時、本弁当箱を卓上に置き、回転ブロック４２を回し、動力歯車４３を回転させ、同時に、動力歯車４３が横向き歯車４８を回転連動させ、横向き歯車４８が後側歯車４５と従動歯車４６とを回転連動させ、これにより四組のねじ山ブロック５２を下に移動し、吸盤５０を卓上にしっかりと吸着させ、ラック４１を押し、歯車４０を回転させ、これにより位置制限軸３６を回転させ、スライド板３４を引っ掛かり溝３５から離れさせ、これにより箱蓋１４を開けて本弁当箱の中のご飯を食べることができる。
【００２０】
本発明の有益効果は：本発明の保温蓋が保温体に覆われて保温の作用を果たし、ご飯を保温し、食器溝の中には食器を保存でき、食器の携帯に便利であり、取っ手の設計によって本弁当箱が手持ちに便利になり、吸盤が卓上にしっかりと吸着でき、弁当箱が固定に便利となってひっくり返ることを防止し、また本弁当箱は操作が便利であり、比較的に高い使用価値と普及価値を備える。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。